(57)【要約】【課題】スイッチの操作性を改善する。また防水型通信機用ハンディマイクのように、スイッチにゴムカバーが被っている場合でも、スイッチ操作を容易にするスイッチの構造を提供する。【解決手段】ケース外形より内側で、ケース角部に斜めに形成された隔壁と、前記隔壁にスイッチシャフトが垂直方向になるように取り付けたプッシュスイッチと、前記ケースに接着固定され、スイッチシャフトを覆うスイッチカバーと、前記スイッチカバーの内側に貼り付けられ、前記スイッチシャフトの上部に配置されたスイッチ押し板とを備える。【選択図】図１
2012048954.tif 000002
【特許請求の範囲】
【請求項１】
ケース外形より内側で、ケース角部に斜めに形成された隔壁と、前記隔壁にスイッチシャフトが垂直方向になるように取り付けたプッシュスイッチと、  前記ケースに接着固定され、スイッチシャフトを覆うスイッチカバーと、前記スイッチカバーの内側に貼り付けられ、前記スイッチシャフトの上部に配置されたスイッチ押し板とを備えることを特徴とするスイッチの構造。
【請求項２】
ケース内部にマイクと、マイクスイッチと、マイクに接続されるマイクコードを備え、ケース外形より内側に、ケース角部に斜めに隔壁を形成し、前記隔壁にスイッチシャフトが垂直方向になるようにマイクスイッチ取り付け、ケースにスイッチシャフトを覆うスイッチカバーを設け、前記スイッチカバーの内側で、前記スイッチシャフトの上部に配置されるスイッチ押し板を接着固定したことを特徴とするスイッチの構造。
【請求項３】
前記ケースが樹脂製マイクケースと、金属製マイクケース蓋とからなり、前記マイクケースは外形がほぼ直方体または逆三角形であり、上方角部に、外形より内側に斜めに隔壁を形成したことを特徴とする請求項１または２に記載のスイッチの構造。
【発明の詳細な説明】
【技術分野】
【０００１】
本発明は、スイッチの構造に関し、詳細には通信機用ハンディマイクのスイッチ構造に関する。
【背景技術】
【０００２】
通信機用ハンディマイクは、特許文献１乃至３により公知である。特許文献１乃至３は、いずれもマイクケースの側面にスイッチを取り付け、マイクケース側面方向よりスイッチを操作する構造である。
また、通信機用ハンディマイクは、屋内だけでなく、屋外でも使用されることが多いので、防水仕様とされることが多い。そのため、スイッチ取付部分から水が浸入しないようにゴムカバーが取り付けられる。
【先行技術文献】
【特許文献】
【０００３】
【特許文献１】特開平６−４４８６６号公報
【特許文献２】特開２００１−０８６０２７号公報
【特許文献３】特開２００１−２２２９２７号公報
【発明の概要】
【発明が解決しようとする課題】
【０００４】
上記特許文献１乃至３は、マイクケースの側面にスイッチを取り付けるので、マイクケース側面方向からだけしかスイッチ操作できず、操作性が悪い。
また、通信機用ハンディマイクは、屋内だけでなく、屋外でも使用されることが多いので、防水仕様とされることが多い。そのため、スイッチ取付部分から水が浸入しないようにゴムカバーが取り付けられる。
マイクスイッチには、プッシュ型スイッチが使用されるが、プッシュ型スイッチは、その構造上、スイッチシャフトを軸方向に押圧しなければ、スイッチオン、またはスイッチオフ操作することができない。スイッチシャフトが見えている場合は、スイッチシャフトを意識して、スイッチシャフトの軸方向に押すことができるが、防水型通信機用ハンディマイクは、防水のためスイッチのシャフトにゴムカバーが被せられおり、シャフトが見えない。そのためスイッチシャフトの押圧方向が明確に分からないので、スイッチ操作に不便を感じることがある。
本発明は、上記のような問題を解決するものであり、スイッチの操作性を改善することを目的とする。また防水型通信機用ハンディマイクのように、スイッチシャフトにゴムカバーが被っている場合でも、スイッチ操作を容易にするスイッチの構造を提供することを目的とする。
【課題を解決するための手段】
【０００５】
本発明のスイッチの構造は、以上の課題を解決するものであり、ケース外形より内側で、ケース角部に斜めに形成された隔壁と、前記隔壁にスイッチシャフトが垂直方向になるように取り付けたプッシュスイッチと、前記ケースに接着固定され、スイッチシャフトを覆うスイッチカバーと、前記スイッチカバーの内側に貼り付けられ、前記スイッチシャフトの上部に配置されたスイッチ押し板とを備えることを特徴とする。
これにより、スイッチはケースの角部を形成する２つの面方向から操作することが可能となり、しかもスイッチシャフトの軸方向からずれた方向からスイッチ操作した場合もスイッチ押し板がスイッチシャフトの軸方向に操作力を加えるので、スイッチオンまたはスイッチオフすることができ、スイッチの操作性が向上する。
【０００６】
また、本発明のスイッチの構造は、ケース内部にマイクと、マイクスイッチと、マイクに接続されるマイクコードを備え、ケース外形より内側に、ケース角部に斜めに隔壁を形成し、前記隔壁にスイッチシャフトが垂直方向になるようにマイクスイッチ取り付け、ケースにスイッチシャフトを覆うスイッチカバーを設け、前記スイッチカバーの内側で、前記スイッチシャフトの上部に配置されるスイッチ押し板を接着固定したことを特徴とする。
この特徴により、本発明は通信機用ハンディマイクとして使用することが可能になり、ケースの角部を形成する２つの面方向からスイッチを操作することができ、しかもスイッチシャフトの軸方向からずれた方向からスイッチ操作した場合もスイッチ押し板がスイッチシャフトの軸方向に操作力を加えるので、スイッチオンまたはスイッチオフすることができ、スイッチの操作性が向上する。
【０００７】
また、本発明のスイッチの構造は、前記ケースが樹脂製マイクケースと、金属製マイクケース蓋とからなり、前記マイクケースは外形がほぼ直方体または逆三角形であり、上方角部に、外形より内側に斜めに隔壁を形成したことを特徴とする。
この特徴を有することにより、本発明は通信機用ハンディマイクとして使用することが可能になる。
【発明の効果】
【０００８】
本発明によれば、ケースの角部を形成する側面および上面の２方向から操作することが可能なスイッチの構造が提供され、スイッチの操作性が向上する。特に、通信機用など屋内または屋外で使用されるのに適した防水型通信機用ハンディマイクに本発明を適用すると、スイッチ操作が便利になる。
【図面の簡単な説明】
【０００９】
【図１】本発明のスイッチの構造を構成するマイクケース１の外観図を示す。
【図２】本発明のスイッチの構造を構成するマイクケース蓋２の外観図を示す。
【図３】本発明のスイッチの構造を構成するマイクケース１の内側図を示す。
【図４】本発明のスイッチの構造を構成するマイクケース１の組立て状態の内側図を示す。
【図５】本発明のスイッチの構造を構成するマイクケース１の斜視図を示す。
【図６】本発明のスイッチの構造の動作を説明する図を示す。
【図７】本発明のスイッチの斜視図を示す。
【図８】本発明のスイッチにスイッチゴムカバー８３、防水ゴムカバー１０を取り付ける工程説明図を示す。
【図９】本発明のスイッチの操作説明図を示す。
【発明を実施するための形態】
【００１０】
以下に図１〜図８を用いて、本発明のスイッチの構造を説明する。
本発明のスイッチの構造は、図１に示すように、外形がほぼ直方体、逆三角形、または卵型に形成されたマイクケース１とマイクケース蓋２とからなる。図１に示したマイクケース１、及び図２に示したマイクケース蓋２は、ともにプラスチック製であってもよいし、マイクケース１はプラスチック製、マイクケース蓋２は金属製であってもよい。マイクケース蓋２には、マイクハンガー２１をネジ２２及び２３により固定する。
【００１１】
図３は、マイクケース１の内側面を示し、マイクケース１の内側面に４本のマイクケース蓋取付用のネジボス１１〜１４、マイク押さえ金具取付用のネジボス６５、６６と、マイク取付リブ１５を形成する。ネジボス１１〜１４、ネジボス６５、６６と、マイク取付リブ１５は、マイクケース１と一体成型することが望ましい。
図１に示すように、マイクケース１の正面は格子状の送話口３を有し、その内側に防水シート５を介してマイクユニット６を取り付ける（図４参照）。防水シート５にはゴアテックス（商標）を使用するとよい。防水シート５は直接手で触れないよう、例えばピンセット５１を使用してマイク取付リブ１５の内側に嵌める。そして、図４に示すように、マイクユニット６をマイクユニットゴムカバー６１に挿入して、マイク取付リブ１５に嵌め込む。次に、マイクユニット６を差し渡すようにマイク押さえ金具６２を配置して、その両側をネジ６３、６４でマイクケース１のネジボス６５、６６にねじ止め固定する。
【００１２】
マイクケース１は、ほぼ直方体、逆三角形、または卵型に形成され、図３に示すように、その上部角部に、マイクケース１の中心線に対して、マイクケース１の外形より内側に斜めに隔壁７を形成する。この隔壁７は、マイクケース１の成型時に同時に形成されるものであり、従って、隔壁７は、図７の斜視図に示すように、マイクケース１の外形より凹んだ位置に形成される。これにより、マイクケース１の上部角部に凹所７１が形成される。
隔壁７はスイッチシャフト８１が挿通する透孔（図示しない）が形成されていて、図５及び図６に示すように、スイッチ８をマイクケース１の内側からスイッチシャフト８１を透孔に通して、隔壁７の主面に対してスイッチシャフト８１が垂直方向になるよう取り付ける。スイッチ８を隔壁７に固定する前に、マイクコード９の各端子リード線９１〜９６をスイッチ８の各端子及びマイク端子に半田付けする。次に、スイッチ８を隔壁７に固定するため、隔壁７のケース外側からナット８２とスイッチゴムカバー８３を締め付けて固定する。スイッチシャフト８１にナット８２とスイッチゴムカバー８３を締め付ける場合、スイッチゴムカバー８３の内側にナット８２を予め嵌め込んでおくと作業が容易になる。その後、スイッチゴムカバー８３と隔壁７の間に瞬間接着剤を塗布する。
【００１３】
次に、図８に示すように、隔壁７を形成した凹所７１にスイッチゴムカバー８３を覆うように防水ゴムカバー１０を取り付ける。図８中に防水ゴムカバー１０を向きを変えて２つ描いているが、これは防水カバー１０の形状をより詳細に示すものであり、防水カバー１０が２つ必要であることを示すものではない。
防水ゴムカバー１０の内側に、防水ゴムカバー１０の上部内側の曲面に沿った曲面を有するスイッチ押し板２０が、その中央部を接着剤により接着する。スイッチ押し板２０は例えばステンレス製であり、弾性を有することが望ましい。従って、スイッチ押し板２０は、その中央部だけが防水ゴムカバー１０の上部内側に接着固定されるので、スイッチ押し板２０の両端は自由端となっている。スイッチ押し板２０は防水ゴムカバー１０の上部内側に接着固定するのに代えて、スイッチゴムカバー８３の上端部に接着固定してもかまわない。このように、スイッチシャフト８１とスイッチゴムカバー８３の間にスイッチ押し板２０を介在させることが本発明の要点である。
このようにして、スイッチ押し板２０が接着固定された防水ゴムカバー１０は、防水ゴムカバー１０の底端面と、底端面に近い側面部分に接着剤が塗布され、凹所７１に嵌め込むことにより、防水ゴムカバー１０を凹所７１に取り付ける。従って、防水ゴムカバー１０とスイッチゴムカバー８３によりスイッチ部分の防水を行うことができる。
最後に、マイクケース蓋２をネジ２４〜２７によってネジボス１１〜１４にネジ止めする（図２参照）。なお、ネジ止めの際に、マイクケース１とマイクケース蓋２の外周囲に沿って防水ゴムパッキング４を挟み、防水構造にする。
【００１４】
本発明のスイッチの構造は以上のように構成されるので、図９に示すように、スイッチはスイッチシャフト８１の軸方向Ａと、ケース側面の方向Ｂ及び上面の方向Ｃからそれぞれ操作することが可能である。即ち、軸方向Ａから操作すると、スイッチシャフト８１が軸方向に押されてスイッチオンまたはオフすることができる。またケース側面のＢ方向から操作した場合もスイッチ押し板２０がスイッチシャフト８１の軸方向に操作力を変えて、スイッチシャフト８１を押圧するので、スイッチオンまたはオフすることができる。同様に、ケース上面のＣ方向から操作した場合もスイッチ押し板２０がスイッチシャフト８１の軸方向に操作力を変えて、スイッチシャフト８１を押圧するので、スイッチオンまたはオフすることができる。
このように、スイッチシャフト８１をケースの角部に取り付け、防水ゴムカバー１０の内側に、またはスイッチゴムカバー８３の上端部にスイッチ押し板２０を接着固定しているので、スイッチシャフト８１の軸方向からずれた方向ＢまたはＣから操作した場合でもスイッチ押し板２０がスイッチシャフト８１の軸方向の力に変えてスイッチオンまたはオフの操作をすることができる。
【００１５】
なお、以上には防水構造マイクスイッチについて説明したが、本発明は防水構造に限定されないし、また、マイクスイッチに限定されない。
【符号の説明】
【００１６】
１  マイクケース
２  マイクケース蓋
３  送話口
４  防水ゴムパッキング
５  防水シート
６  マイクユニット
７  隔壁
８  スイッチ
１０  防水ゴムカバー
１１〜１４、６５，６６  ネジボス
１５  マイク取付リブ
２０  スイッチ押し板
６１  マイクユニットゴムカバー
７１  凹所
８１  スイッチシャフト
８２  ナット
８３  スイッチゴムカバー
【図１】
2012048954.tif 000003
【図２】
2012048954.tif 000004
【図３】
2012048954.tif 000005
【図４】
2012048954.tif 000006
【図５】
2012048954.tif 000007
【図６】
2012048954.tif 000008
【図７】
2012048954.tif 000009
【図８】
2012048954.tif 000010
【図９】
2012048954.tif 000011